(57)【要約】【課題】  オンデマンド式の薬剤放散装置において、吐出した薬剤液滴を速やかに薬剤放散面に沿って所定方向に拡展させ、効率良く空気中に放散させるようにすること。【解決手段】  薬剤放散装置１では、薬剤カートリッジ４に貯留されている薬剤がギアポンプ１３によって薬剤ノズル２０に供給され、ここから放散体２３の薬剤放散面２３ａに滴下する。薬剤放散面２３ａは細長い長方形をしており、例えば、縦ワイヤがその長辺方向に整列するように切り取ったワイヤメッシュからなる。薬剤放散面２３ａは風圧板２６によって常にその長辺方向が風向きに直交する状態に保持される。薬剤放散面２３ａに滴下した薬剤液滴は速やかにその長辺方向に広がり、直交する方向に流れる風に乗って広範囲に均一に放散する。【選択図】    図４
2005095106.tif 000002
【特許請求の範囲】
【請求項１】
昆虫性フェロモンなどの揮発性の薬剤を貯留した薬剤貯留部と、
前記薬剤貯留部から供給される前記薬剤を吐出する薬剤吐出部と、
前記薬剤吐出部から吐出された薬剤を外部に放散させるための薬剤放散部とを有し、
前記薬剤放散部は前記薬剤吐出部から吐出された薬剤液滴が付着する薬剤放散面を備えている薬剤放散装置。
【請求項２】
請求項１において、
前記薬剤放散面は、当該薬剤放散面に付着した前記薬剤液滴を当該薬剤放散面に沿って予め定めた拡展方向に拡展させる薬剤拡展特性を備えている薬剤放散装置。
【請求項３】
請求項２において、
前記薬剤放散面は前記拡展方向に長い長方形状をしている薬剤放散装置。
【請求項４】
請求項２または３において、
前記薬剤放散面を、前記拡展方向に沿って織り込まれた線材を含むメッシュ状素材あるいは織布状素材の表面とすることにより、前記薬剤拡展特性が付与されている薬剤放散装置。
【請求項５】
請求項２または３において、
前記薬剤放散面を、前記拡展方向に延びる複数本の線材によって規定される表面とすることにより、前記薬剤拡展特性が付与されている薬剤放散装置。
【請求項６】
請求項２または３において、
前記薬剤放散面を、前記拡展方向に延びる所定幅の溝底面、あるいは前記拡展方向に延びる所定幅の凹面部分を含むものとすることにより、前記薬剤拡展特性が付与されている薬剤放散装置。
【請求項７】
請求項２、３または６において、
前記薬剤放散面を、前記薬剤が浸透せず、かつ、前記薬剤に対する濡れ性が高い前記拡展方向に延びる所定幅の表面を含むものとすることにより、前記薬剤拡展特性が付与されている薬剤放散装置。
【請求項８】
請求項２ないし７のうちのいずれかの項において、
前記薬剤放散面は、前記薬剤液滴を自重により拡展させるために前記拡展方向に傾斜した傾斜面である薬剤放散装置。
【請求項９】
請求項２ないし８のうちのいずれかの項において、
前記薬剤放散部は、前記薬剤放散面に付着した前記薬剤液滴を遠心力により前記拡展方向に拡展させるために、当該薬剤放散面を備えた放散体を回転する回転機構を備えている薬剤放散装置。
【請求項１０】
請求項２ないし９のうちのいずれかの項において、
前記薬剤放散部は、前記薬剤放散面の前記拡展方向が風向きに直交する方向となるように、当該薬剤放散面を備えた放散体の向きを制御する方向制御機構を備えている薬剤放散装置。
【請求項１１】
請求項１ないし１０のうちのいずれかの項において、
前記薬剤は、揮発性を高めるための溶媒を含むものである薬剤放散装置。
【請求項１２】
請求項１ないし１１のうちのいずれかの項において、
前記薬剤は、希釈液によって希釈化されたものである薬剤放散装置。
【請求項１３】
請求項１ないし１２のうちのいずれかの項において、
前記薬剤は、前記薬剤放散面に対する濡れ性を高めるために表面活性剤などの添加剤を含むものである薬剤放散装置。
【請求項１４】
昆虫性フェロモンなどの薬剤を貯留した薬剤貯留部と、
前記薬剤貯留部から供給される前記薬剤を吐出する薬剤吐出部と、
前記薬剤吐出部から吐出された薬剤を外部に放散させるための薬剤放散部とを有し、
前記薬剤放散部は前記薬剤吐出部から吐出された薬剤液滴が付着する薬剤放散面を備え、
前記薬剤放散面は前記薬剤液滴を自重により拡展させる傾斜面である薬剤放散装置。
【請求項１５】
昆虫性フェロモンなどの薬剤を貯留した薬剤貯留部と、
前記薬剤貯留部から供給される前記薬剤を吐出する薬剤吐出部と、
前記薬剤吐出部から吐出された薬剤を外部に放散させるための薬剤放散部とを有し、
前記薬剤放散部は、前記薬剤吐出部から吐出された薬剤液滴が付着する薬剤放散面を備えた放散体と、前記薬剤放散面に付着した前記薬剤液滴を遠心力により当該薬剤放散面に沿って所定方向に拡展させるために前記放散体を回転する回転機構とを有している薬剤放散装置。
【請求項１６】
昆虫性フェロモンなどの薬剤を貯留した薬剤貯留部と、
前記薬剤貯留部から供給される前記薬剤を吐出する薬剤吐出部と、
前記薬剤吐出部から吐出された薬剤を外部に放散させるための薬剤放散部とを有し、
前記薬剤放散部は前記薬剤吐出部から吐出された薬剤液滴が付着する薬剤放散面を備えており、
前記薬剤は、前記薬剤放散面上での拡展性を高めるための添加剤を含んでいる薬剤放散装置。
【請求項１７】
請求項１６において、
前記添加剤は揮発性を高めるための溶媒である薬剤放散装置。
【請求項１８】
請求項１６または１７において、
前記添加剤は希釈液である薬剤放散装置。
【請求項１９】
請求項１６において、
前記添加剤は表面活性剤である薬剤放散装置。
【発明の詳細な説明】
【技術分野】
【０００１】
本発明は、昆虫性フェロモンからなる害虫の交信かく乱剤や誘引剤などの薬剤を放散するための薬剤放散装置に関し、特に、効率良く薬剤を放散できるように改良を図った薬剤放散装置に関するものである。
【背景技術】
【０００２】
農場などにおいては、殺虫剤を用いる代わりに、昆虫性フェロモンなどの誘引剤を空気中に放散して、害虫に交信かく乱を引き起こして産卵数を減少させることにより害虫の発生を減少させる害虫駆除方法が知られている。例えば、圃場施設に所定間隔で多数の昆虫性フェロモンディスペンサを設置して、昆虫性フェロモンを自然放散させるものが知られている。昆虫性フェロモンディスペンサとしては、プラスチック製のチューブに性フェロモンを封入したものが知られており、これを育成植物の枝やビニールハウスの骨組に掛けて、性フェロモンをチューブを介して空気中に自然放散させるようにしている（特許文献１）。しかし、このディスペンサでは、昆虫が交尾をしない日中も昆虫性フェロモンが継続放散され、気温の高い日中の方が放散量も多いので、薬剤の無駄な放散が多い。また、性フェロモンのうち二重結合をもつものは紫外線劣化や酸化を起こしやすいので、安定剤を混合する必要があり、その分コスト高になっている。さらには、近隣の果樹園などの影響で想定しなかった害虫が存在する場合に、そのような想定外の害虫に即応できない。
【０００３】
そこで、ヒータやファンなどによって揮発性の薬剤を強制的に放散させる薬剤放散装置を利用すること（特許文献２、３、４）、遠隔制御によるスプレー式の薬剤放散装置を利用すること（特許文献５）、あるいは、インクジェットプリンタに用いられるインクジェッドヘッドと同様な液滴吐出ヘッドを用いて薬剤を放散すること（特許文献６）等が考えられる。
【特許文献１】特開平８−３２２４４７号公報
【特許文献２】実開昭５８−１１０２８８号公報
【特許文献３】実用新案登録第３０２１１１９号公報
【特許文献４】特開平９−７４９６９号公報
【特許文献５】米国特許第６１８２９０４号公報
【特許文献６】米国特許第６３３９８９７号公報
【発明の開示】
【発明が解決しようとする課題】
【０００４】
ここで、このような強制式あるいはオンデマンド式の薬剤放散装置では、薬剤の放散が必要な時間帯に合わせて、薬剤を蒸発皿やメッシュ状素材の表面に滴下あるいは吐出し、薬剤を外部に放散させるようになっている。しかしながら、昆虫性フェロモンなどの薬剤の放散量は極めて微量でよく、しかも拡散性・展開性に乏しい。このため、蒸発皿やメッシュ状素材の表面に滴下あるいは吐出された微量の薬剤液滴は、それらの表面において、滴下あるいは吐出された状態のままで揮発して空気中に放散していく。このように点状のままで放散するので、放散効率が極めて悪いという問題点がある。
【０００５】
本発明の課題は、必要に応じて吐出された薬剤を効率良く散布領域に向けて放散可能な薬剤放散装置を提案することにある。
【課題を解決するための手段】
【０００６】
本発明の薬剤放散装置は、昆虫性フェロモンなどの揮発性の薬剤を貯留した薬剤貯留部と、前記薬剤貯留部から供給される前記薬剤を吐出する薬剤吐出部と、前記薬剤吐出部から吐出された薬剤を外部に放散させるための薬剤放散部とを有し、前記薬剤放散部は前記薬剤吐出部から吐出された薬剤液滴が付着する薬剤放散面を備えていることを特徴としている。ここで、前記薬剤放散面は、当該薬剤放散面に付着した前記薬剤液滴を当該薬剤放散面に沿って予め定めた拡展方向に拡展させる薬剤拡展特性を備えていることが望ましい。また、薬剤放散面を前記拡展方向に長い長方形状とすることが望ましい。
【０００７】
薬剤放散面に薬剤拡展特性を付与するためには、当該薬剤放散面に付着した薬剤液滴の毛細管力が前記放散方向に強くなるようにすればよい。例えば、前記薬剤放散面を、前記拡展方向に沿って織り込まれた線材を含むメッシュ状素材あるいは織布状素材の表面とすれば、線材に沿って薬剤液滴が速やかに線状に広がる。よって、薬剤の表面積が増加し、効率良く薬剤が空気中に放散する。
【０００８】
前記薬剤放散面を、前記拡展方向に延びる複数本の線材によって規定される表面としてもよい。この代わりに、前記薬剤放散面を、前記拡展方向に延びる所定幅の溝底面、あるいは前記拡展方向に延びる所定幅の凹面部分を含むものとすることもできる。この場合においても、薬剤放散面に付着した薬剤液滴が、溝底面あるいは凹面部分に沿って毛細管力によって線状に広がり、効率良く空気中に放散する。
【０００９】
また、前記薬剤放散面を、前記薬剤が浸透せず、かつ、前記薬剤に対する濡れ性が高い前記拡展方向に延びる所定幅の表面を含むものとしてもよい。例えば、プラスチック素材の表面に、細い幅で薬剤に対する濡れ性の良い膜を形成すれば、当該膜表面に沿って薬剤が線状に広がる。
【００１０】
次に、薬剤放散面に上記のように薬剤拡展特性を付与すると共に、あるいは、この代わりに、前記薬剤放散面を、前記薬剤液滴を自重により拡展させるために前記放散方向に傾斜した傾斜面とすることもできる。薬剤放散面に付着した薬剤液滴は傾斜面に沿って自重により線状に広がるので、その表面積が増加して空気との接触面積が増え、効率良く空気中に放散する。
【００１１】
また、薬剤放散面に薬剤拡展特性を付与する構成、および／または自重により薬剤を拡展させる構成の代わりに、あるいはこれらの構成と共に、前記薬剤放散部として、前記薬剤放散面に付着した前記薬剤液滴を遠心力により前記拡展方向に拡展させるために、当該薬剤放散面を備えた放散体を回転する回転機構を有する構成を採用してもよい。遠心力の作用により薬剤放散面に付着した薬剤液滴が速やかに広がり、効率良く空気中に放散する。
【００１２】
さらに、前記薬剤放散部として、前記薬剤放散面の前記拡展方向が風向きに直交する方向となるように、当該薬剤放散面を備えた放散体の向きを制御する方向制御機構を備えた構成のものを採用することもできる。薬剤放散面に沿って拡展方向に広がった薬剤は、拡展方向に直交する方向から風が当たるので、極めて効率良く空気中に放散する。
【００１３】
次に、本発明の薬剤放散装置では、前記薬剤として、揮発性を高めるための溶媒を含むものを用いるようにしている。例えば、薬剤原液に、それよりも飽和蒸気圧が高い（揮発性が高い）溶剤を添加することにより、薬剤の揮発性が高まり、薬剤放散面に付着した薬剤液滴の放散効率が改善される。また、薬剤原液を希釈液によって希釈化すれば、薬剤放散面上で展開効率・拡散効率を改善することができる。揮発性の高い希釈剤が先に蒸散されても、希釈剤によって広い面積に広がっているために、放散が促進される。さらに、薬剤原液に、薬剤放散面に対する濡れ性を高めるために表面活性剤などの添加剤を加えれば、薬剤放散面に付着した薬剤液滴が拡展しやすくなる。
【発明の効果】
【００１４】
本発明の薬剤放散装置では、吐出した薬剤液滴が付着する薬剤放散面として、薬剤がその表面に沿って広がり易い特性のものを採用している。また、薬剤放散面に付着した薬剤液滴の自重を利用して薬剤液滴を当該表面に沿って拡展させるようにしている。さらに、遠心力を利用して薬剤放散面に付着した薬剤液滴を当該表面に沿って拡展させるようにしている。さらにまた、使用する薬剤に揮発性の高い添加剤や表面活性剤などを添加することにより、薬剤放散面上での展開性・拡散性を改善するようにしている。
【００１５】
したがって、本発明によれば、薬剤放散面に付着した薬剤液滴が速やかに当該表面に沿って広がり、その表面積が増加して空気との接触面積が増えるので、効率良く空気中に放散される。よって、散布量が微量でよく、しかも拡散性に乏しい昆虫性フェロモンなどの薬剤を効率良く散布するための薬剤放散装置を実現できる。
【発明を実施するための最良の形態】
【００１６】
以下に、図面を参照して、本発明を適用した薬剤放散装置の実施の形態を説明する。
【００１７】
（全体構成）
図１は本発明を適応した昆虫性フェロモンを散布するための薬剤放散装置の一例を示す外観斜視図である。薬剤放散装置１は、矩形の基板２と、この基板２に取り付けた直方体形状の装置カバー３とを有している。装置カバー３の内部には昆虫性フェロモンが充填された薬剤カートリッジ４（図２〜４参照）の装着部５が形成されており、装着部５の挿入口５ａが装置カバー３の前面に開口している。この挿入口５ａには開閉可能な開閉蓋６が取り付けられている。挿入口５ａの側方にはパワースイッチ７が配置され、装置カバー３の側面には液晶表示部８、操作キー９ａ〜９ｄ、動作状態を表示するためのＬＥＤランプ１０ａ〜１０ｃが配置されている。
【００１８】
図２は装置カバー３を取り外した状態の薬剤放散装置を斜め後側から見た場合の斜視図であり、図３はその平面図であり、図４は図３のＩＶ−ＩＶ線で切断した部分を示す概略断面図である。薬剤貯留部としての薬剤カートリッジ４は、全体として直方体形状をしており、プラスチック製のカートリッジケース４ａと、その中に収納されている可撓性の薬剤袋４ｂと、薬剤供給口４ｃとを備えている。薬剤供給口４ｃは、カートリッジケース４ａを貫通して薬剤袋４ｂに連通しており、常時は封鎖状態とされている。
【００１９】
薬剤カートリッジ４が装着される装着部５には薬剤供給針１１が水平に配置されており、装着部５に薬剤カートリッジ４が装着されると、薬剤カートリッジ４の薬剤供給口４ｃに薬剤供給針１１が差し込まれ、薬剤カートリッジ４の薬剤袋４ｂに充填されている薬剤が薬剤供給針１１を介して取り出し可能になる。
【００２０】
薬剤供給針１１から取り出される薬剤は、薬剤供給管１２を介して、薬剤吐出手段として機能するギアポンプ１３に供給される。ギアポンプ１３は、その駆動軸に固定したポンプ歯車１４ａを備え、このポンプ歯車１４ａは減速歯車１４ｂ、モータ歯車１５ａを介して駆動モータ１５に連結されている。ギアポンプ１３の回転は、ポンプ歯車１４ａにかみ合っているポンプ検出板１６ａと光検出器１６ｂから構成されるホトインタラプタによって検出される。
【００２１】
ギアポンプ１３の吐出側にはインク供給管１８が接続されており、インク供給管１８の先端は、基板２に垂直に取り付けた円筒１９の上端に下向きに取り付けた薬剤吐出ノズル２０に連通している。円筒１９の下端部分は基板２を貫通しており、その下端には、水平に薬剤放散部２１が取り付けられている。ギアポンプ１３を駆動すると、装着部５に装着された薬剤カートリッジ４から供給針１１、薬剤供給管１２を介して薬剤が吸引され、薬剤供給管１８を介して薬剤ノズル２０に薬剤が供給され、薬剤ノズル２０から下方に薬剤液滴が吐出される。
【００２２】
薬剤放散部２１は、円筒１９の垂直中心線１９ａを中心として回転自在の状態で基板２に取り付けられている回転盤２２と、この回転盤２２の中心を通る状態に当該回転盤２２に水平に取り付けられた細長い放散体２３とを備えている。回転盤２２および放散体２３は、基板２の底面側に取り付けた多数の放散口２４ａが形成されているカバー２４によって保護されている。また、回転盤２２の中心からは連結軸２５がカバー２４を通って垂下しており、この連結軸２５の下端には風圧板２６が取り付けられている。風圧板２６は放散体２３の長辺方向に直交する方向となるように取り付けられている。従って、風圧板２６に風が当たると、当該風圧板２６が風向きと平行な方向に旋回し、風圧板２６に連結されている回転盤２２も同一方向に回転する。従って、風圧板２６を用いた方向制御機構によって、放散体２３は、常に、風向きに対して、その長辺方向が直交する状態に保持される。
【００２３】
図５（ａ）は本例の放散体２３の薬剤放散面２３ａを示す平面図である。薬剤放散面２３ａは細長い長方形をした平坦な表面である。薬剤ノズル２０から吐出された薬剤液滴は放散部２１の放散体２３における薬剤放散面２３ａの中心に滴下してそこに付着する。薬剤放散面２３ａは細長い長方形であるので、その長辺方向の中心に付着した薬剤液滴は薬剤放散面２３ａに沿ってその長辺方向に広がっていく。薬剤液滴が長辺方向に広がると、その表面積が増加して空気との接触面積が増えるので、空中への放散効率が改善される。
【００２４】
また、本例では、放散体２３は風圧板２６が取り付けられた回転盤２２に支持されているので、その長辺方向が常に風向きに直交する姿勢に保持される。この結果、薬剤放散面２３ａ上において長辺方向に広がった薬剤が効率良く風に当たり、これによっても薬剤の放散効率が高まる。特に、昆虫性フェロモンは空気より重いので、図５（ｂ）に示すように薬剤放散面２３Ａに円形に付着したままの状態の薬剤液滴を放散させる、所謂点状拡散の場合に比べて、線状に拡展した薬剤が効率良く風に当たり、線状に均一状態で拡散していく。よって、昆虫性フェロモンの到達距離を伸ばすことができ、広範囲に昆虫性フェロモンを均一に放散することができる。
【００２５】
ここで、放散体２３の薬剤放散面２３ａをワイヤメッシュにより形成する場合には、図６（ａ）に示すように、ワイヤメッシュ３１の縦ワイヤ３１ａ、横ワイヤ３１ｂの一方、例えば縦ワイヤ３１ａが、薬剤放散面２３ａの長辺方向に整列させることが望ましい。このようにすると、図６（ｂ）に示すように、薬剤放散面２３ａに付着した薬剤液滴３２がその長辺方向に整列されている縦ワイヤ３１ａに沿って速やかに広がる。これに比べて、図６（ｃ）に示すように、端面のワイヤの解れを避けるために、縦ワイヤ３１ａおよび横ワイヤ３１ｂに対して４５度傾斜した状態で切断して用いる一般的なワイヤメッシュ３１Ａを用いた場合には、そこの付着した薬剤液滴３３は方形に広がる。この場合に比べて、図６（ａ）、（ｂ）の場合の方が薬剤液滴が長手方向に広がるので、効率良く薬剤を空気中に放散できる。
【００２６】
ワイヤメッシュとしては、図６（ｄ）に示すように、薬剤放散面２３ａに直交する方向のワイヤ３１ｂが少ないものを用いれば、薬剤液滴を長辺方向により速やかに拡展させることができる。さらに、図６（ｅ）に示すように、一方向に延びるワイヤ３１ａを平面上に配列して薬剤放散面２３Ｂとしてもよい。この場合には、図６（ｆ）、（ｇ）に示すように、薬剤液滴３４はワイヤ３１ａ間の隙間に沿って毛細管力によって速やかにその長辺方向に広がる。一方、図６（ｈ）に示すように、０．０１ｍｍ〜０．１ｍｍ程度の直径のワイヤからなる撚り線３５を放散体２３として用いることも可能である。
【００２７】
尚、図６（ｉ）のようにワイヤ３１ｃ、３１ｄのピッチ及び密度が異なる場合には、液体はワイヤ間のより細い隙間にメニスカスを形成しながら広がるので、該図の場合にはワイヤ３１ｃに沿った方向を長手方向にすることが望ましい。
【００２８】
次に、ワイヤメッシュの代わりに、プラスチックフィルムやシートなどのように薬剤が浸透しない素材を用いて薬剤放散面２３ａを形成してもよい。この場合には、図７（ａ）に示すように、プラスチックシート３６の表面に、細い幅で、薬剤に対する濡れ性の高い層３６ａと濡れ性の低い層３６ｂを交互に形成すればよい。このようにすれば、プラスチックシート３６の表面に滴下された薬剤液滴３７は図７（ｂ）に示すように濡れ性の高い層３３ａに沿ってその長辺方向に広がっていく。
【００２９】
このような表面処理を行う代わりに、図７（ｃ）に示すように、プラスチックシート３８の表面に細い幅の溝３８ａを形成してもよい。この場合にも、図７（ｄ）に示すように、当該表面に滴下された薬剤液滴３９は溝３８ａに沿ってその長辺方向に速やかに広がる。溝３８ａを形成する代わりに、プラスチックシートの表面を波状の凹凸としてもよい。あるいは、図７（ｅ）に示すようにプラスチックシート４０を波状に成形しても、図７（ｆ）に示すように凹面部分４０ａに沿って薬剤４１がその長辺方向に速やかに広がっていく。勿論、溝あるいは凹面部分を形成すると共に、溝底面や凹面部分の濡れ性を高めるように表面処理を行っても良い。
【００３０】
（放散体の別の例）
図８には、薬剤放散面２３ａを備えた放散体２３の別の例を示してある。上記の例では、薬剤放散面２３ａを形成する素材の材質、形状などに工夫を凝らすことにより、薬剤放散面２３ａに、薬剤液滴を所定方向に拡展させる薬剤拡展特性を付与するようにしている。これと共に、あるいはこの代わりに、薬剤液滴の自重を利用して、薬剤放散面に付着した薬剤液滴を所定方向に拡展させるようにしてもよい。例えば、図８（ａ）に示すように、細長いプラスチックシート４２を逆Ｖ形とし、その頂点部分４２ａに薬剤液滴４３が滴下するように構成する。このようにすれば、滴下した薬剤液滴４３は左右に傾斜しているプラスチックシート４２の細長い傾斜面４２ｂ、４２ｃに沿って自重により広がる。
【００３１】
自重を利用する代わりに、あるいはこれと共に、遠心力を利用して薬剤液滴を所定方向に拡展させるようにしてもよい。例えば、図８（ｂ）に示すように、逆Ｖ形状に成形した細長いプラスチックシート４４の頂点部分４４ａを中心として、当該プラスチックシート４４をモータなどの回転機構４５を用いて旋回させる。この頂点部分４４ａに薬剤液滴を滴下すると、ここに付着した薬剤液滴４６は、作用する遠心力によってプラスチックシート４４の表面に沿って左右に広がる。
【００３２】
なお、図８（ａ）、（ｂ）に示すプラスチックシート４２、４４の代わりに、図８（ｃ）に示すように、一方にのみ傾斜してヘの字状に折れ曲がったプラスチックシート４７を放散体として用いることも可能である。
【００３３】
（薬剤の各例）
ここで、薬剤放散面２３ａの形状などを工夫して薬剤液滴を所定方向に拡展させるようにすると共に、あるいは、その代わりに、薬剤自体の特性を拡展・拡散に適した性状となるように調製してもよい。
【００３４】
例えば、Ｚ１１−ヘキサデセナール等の昆虫性フェロモンは粘性が大きく拡展しにくく吐出される絶対量も少ないので、当該フェロモンと親和性の高い希釈液によって２倍〜１０００倍程度に希釈して用いればよい。希釈することにより、その粘性、表面張力が低下するので、拡展性が改善され、また絶対量が多くなるため広く展開できる。
【００３５】
また、希釈液としては薬剤よりも飽和蒸気圧が高い、すなわち揮発し易いアルコールやヘキサンなどの溶剤を用いることが望ましい。このような溶剤で昆虫性フェロモンなどの薬剤原液を希釈化して得られた薬剤は、薬剤放散面２３ａに付着した後に速やかに当該放散面に沿って広がり蒸散する。
【００３６】
さらに、界面活性剤などのような放散体との濡れ性を改善する添加剤を添加すれば、薬剤と放散体の薬剤放散面との濡れ性が高まり、薬剤を薬剤放散面に沿って速やかに拡展させることが可能になる。
【図面の簡単な説明】
【００３７】
【図１】本発明を適用した薬剤放散装置の外観斜視図である。
【図２】図１の薬剤放散装置の装置カバーを取り外した状態において、その後側から見た場合の斜視図である。
【図３】図２の状態の薬剤放散装置の平面図である。
【図４】図３のＩＶ−ＩＶ線で切断した部分の概略断面図である。
【図５】放散体の放散面を示す平面図および従来の放散面を示す平面図である。
【図６】（ａ）〜（ｄ）は二方向の延びるワイヤによって形成された放散面の例を示す説明図であり、（ｅ）〜（ｇ）は一方向の延びるワイヤによって形成された放散面の例を示す説明図であり、（ｈ）は撚り線により形成される放散面の例を示す説明図であり、（ｉ）はワイヤの密度・ピッチが異なる場合の展開方向を示す説明図である。
【図７】プラスチックシートにより形成した放散面の例を示す説明図である。
【図８】放散体の例を示す説明図である。
【符号の説明】
【００３８】
１  薬剤放散装置、４  薬剤カートリッジ、５  装着部、１２  薬剤供給管、１３  ギアポンプ、１８  薬剤供給管、１９  筒、２０  薬剤吐出ノズル、２１  放散部、２３  放散体、２３ａ、２３Ｂ  放散面、２６  風圧板、３１  ワイヤメッシュ、３１ａ  縦ワイヤ、３１ｂ  横ワイヤ、３２、３７、３９、４１  薬剤液滴、３５  撚り線、３６、３８、４０  プラスチックシート、３６ａ  濡れ性の良い層、３６ｂ  濡れ性の悪い層、３８ａ  溝、４０ａ  凹面部分、４２、４４、４７  プラスチックシート、４５  回転機構
【図１】
2005095106.tif 000003
【図２】
2005095106.tif 000004
【図３】
2005095106.tif 000005
【図４】
2005095106.tif 000006
【図５】
2005095106.tif 000007
【図６】
2005095106.tif 000008
【図７】
2005095106.tif 000009
【図８】
2005095106.tif 000010